(57)【要約】【課題】連結部材の形状が簡素なものであっても、横枠部材と縦枠部材との連結の強度を高めることができる遊技機用外枠を提供すること。【解決手段】遊技機用外枠１において、横枠部材２の端部２５は、連結部材６ｂ（６）の第１の取付体６２に対して第１の締結部材Ｓ４、Ｓ５、Ｓ６による締結によって連結されている。縦枠部材５の端部５０ａは、連結部材６（６ｂ）の第２の取付体６３に対して第２の締結部材Ｂ４による締結によって連結されている。第２の取付体６３は、第１の取付部６３ｂと、第１の取付部６３ｂに対して段差６３ａを介した第２の取付部６３ｃとからクランク状に形成されている。【選択図】図１１
2020043972.tif 000002
【特許請求の範囲】
【請求項１】
木製または樹脂製の上下の横枠部材と、
金属製の左右の縦枠部材と、
横枠部材と縦枠部材とを連結する金属製の連結部材と、を有しており、
連結部材は、横枠部材の端部に対向する第１の取付体と、第１の取付体から折り曲げられ、縦枠部材の端部に対向する第２の取付体と、を備えており、
横枠部材の端部は、連結部材の第１の取付体に対して第１の締結部材による締結によって連結されており、
縦枠部材の端部は、連結部材の第２の取付体に対して第２の締結部材による締結によって連結されている遊技機用外枠であって、
第２の取付体は、第１の取付部と、第１の取付部に対して段差を介した第２の取付部とからクランク状に形成されている遊技機用外枠。
【請求項２】
請求項１に記載の遊技機用外枠であって、
縦枠部材の端部には、切欠が形成されており、
第１の取付部は、切欠に位置合わせされた状態となっている遊技機用外枠。
【発明の詳細な説明】
【技術分野】
【０００１】
本発明は、遊技機用外枠に関し、詳しくは、木製または樹脂製の上下の横枠部材と、金属製の左右の縦枠部材と、横枠部材と縦枠部材とを連結する金属製の連結部材とを有する遊技機用外枠に関する。
する。
【背景技術】
【０００２】
従来、パチンコ機等の遊技機の外枠は、上下に対向に配置される木製または樹脂製の横枠部材と、左右に対向に配置される金属製の縦枠部材と、これら横枠部材の端部と縦枠部材の端部とを相互に連結する四隅（左上、右上、左下、右下）の連結部材とから、縦長の略矩形枠状に形成されている。ここで、下記特許文献１には、連結部材が横枠部材の端部を挟み込み可能な上片と下辺とを備えた遊技機用外枠が開示されている。これにより、横枠部材の端部と連結部材とを強固に連結できるため、結果として、横枠部材と縦枠部材との連結の強度を高めることができる。
【先行技術文献】
【特許文献】
【０００３】
【特許文献１】特開２０１６−１０４６０号公報
【発明の概要】
【発明が解決しようとする課題】
【０００４】
しかしながら、上述した特許文献１の技術では、連結部材には、横枠部材の端部を挟み込むための上片と下辺とが備えられている。そのため、この連結部材の形状が複雑なものとなっていた。
【０００５】
本発明は、このような課題を解決しようとするもので、その目的は、連結部材の形状が簡素なものであっても、横枠部材と縦枠部材との連結の強度を高めることができる遊技機用外枠を提供することである。
【課題を解決するための手段】
【０００６】
本発明は、上記の目的を達成するためのものであって、以下のように構成されている。
請求項１に記載の発明は、木製または樹脂製の上下の横枠部材と、金属製の左右の縦枠部材と、横枠部材と縦枠部材とを連結する金属製の連結部材とを有している。連結部材は、横枠部材の端部に対向する第１の取付体と、第１の取付体から折り曲げられ、縦枠部材の端部に対向する第２の取付体とを備えている。横枠部材の端部は、連結部材の第１の取付体に対して第１の締結部材による締結によって連結されている。縦枠部材の端部は、連結部材の第２の取付体に対して第２の締結部材による締結によって連結されている。第２の取付体は、第１の取付部と、第１の取付部に対して段差を介した第２の取付部とからクランク状に形成されている。
【０００７】
請求項１の発明によれば、連結部材の形状が簡素なものであっても、横枠部材と縦枠部材との連結の強度を高めることができる。
【０００８】
また、請求項２に記載の発明は、請求項１に記載の遊技機用外枠であって、縦枠部材の端部には、切欠が形成されている。第１の取付部は、切欠に位置合わせされた状態となっている。
【０００９】
請求項２の発明によれば、縦枠部材の端部と連結部材の第２の取付体とを組み付けるとき、この縦枠部材の端部と連結部材の第２の取付体とを位置合わせできる。したがって、この組み付け作業を簡素化できる。結果として、遊技機用外枠の組み立て作業を簡素化できる。
【図面の簡単な説明】
【００１０】
【図１】実施形態に係るパチンコ機用外枠の正面図である。
【図２】図１の背面図である。
【図３】図１の平面図である。
【図４】図１の底面図である。
【図５】図１の左側面図である。
【図６】図１の右側面図である。
【図７】図１の斜視図である。
【図８】図７の分解図である。
【図９】図７の右上コーナの拡大図である。
【図１０】図９を内側から見た斜視図である。
【図１１】図８の右上コーナの拡大図である。
【図１２】図６の上の端部の拡大図である。
【図１３】図１２のXIII−XIII線断面図である。
【図１４】図１１の連結部材の拡大図である。
【図１５】図１４の正面図である。
【図１６】図１４の平面図である。
【図１７】図１４の底面図である。
【図１８】図１４の左側面図である。
【図１９】図１４の右側面図である。
【図２０】他の実施形態に係るパチンコ機用外枠の右上コーナの拡大図である。
【図２１】図２０を内側から見た斜視図である。
【図２２】図２０の分解図である。
【発明を実施するための形態】
【００１１】
以下、本発明を実施するための形態を、図１〜１９を用いて説明する。なお、以下の説明にあたって、「遊技機」が「パチンコ機」である形態を説明する。まず、本発明の実施形態に係るパチンコ機用外枠１を説明する。
【００１２】
パチンコ機用外枠１は、主として、上下に対向に配置される木製の横枠部材２、３と、左右に対向に配置される金属製（例えば、アルミ製）の縦枠部材４、５と、これら横枠部材２、３の端部と縦枠部材４、５の端部とを相互に連結する４個の連結部材６（左上の連結部材６ａ、右上の連結部材６ｂ、左下の連結部材６ｃ、右下の連結部材６ｄ）と、上ヒンジ部材７と、下ヒンジ部材８と、幕板９とから縦長の略矩形枠状に形成されている（図１〜１３参照）。以下に、これら横枠部材２、３と、縦枠部材４、５と、連結部材６（左上の連結部材６ａ、右上の連結部材６ｂ、左下の連結部材６ｃ、右下の連結部材６ｄ）と、上ヒンジ部材７と、下ヒンジ部材８と、幕板９とを個別に説明していく。
【００１３】
まず、上の横枠部材２から説明していく。この上の横枠部材２は、木製の矩形状の部材から構成されている。この上の横枠部材２の長手方向の左の端部２０には、後述する３本のネジＳ１、Ｓ２、Ｓ３を貫通可能な３個の貫通孔２０ａ、２０ｂ、２０ｃが形成されている。この貫通孔２０ａは、後述する上ヒンジ部材７の貫通孔７０ａと左上の連結部材６ａのネジ孔６０ａとに対応するように形成されている。また、この貫通孔２０ｂは、後述する上ヒンジ部材７の貫通孔７０ｂと左の縦枠部材４の上の捻込部４３とに対応するように形成されている。また、この貫通孔２０ｃは、後述する上ヒンジ部材７の貫通孔７０ｃと左上の連結部材６ａのネジ孔６０ｂとに対応するように形成されている。なお、この左の端部２０は、段差２１を介して下に凹んだ状態となっている（図８参照）。これにより、上の横枠部材２に対して上ヒンジ部材７をフラットに組み付けることができる（図７参照）。
【００１４】
また、この上の横枠部材２の長手方向の右の端部２５には、後述する３本のネジＳ４、Ｓ５、Ｓ６を貫通可能な３個の貫通孔２５ａ、２５ｂ、２５ｃが形成されている。この貫通孔２５ａは、後述する右上の連結部材６ｂの貫通孔６２ａと右の縦枠部材５の上の捻込部５３とに対応するように形成されている。また、この貫通孔２５ｂは、後述する右上の連結部材６ｂのネジ孔６２ｂに対応するように形成されている。また、この貫通孔２５ｃは、後述する右上の連結部材６ｂのネジ孔６２ｃに対応するように形成されている。
【００１５】
次に、下の横枠部材３を説明していく。この下の横枠部材３は、木製の矩形状の部材から構成されている。この下の横枠部材３の長手方向の左の端部３０には、後述する３本のネジＳ８、Ｓ９、Ｓ１０を貫通可能な３個の貫通孔３０ａ、３０ｂ、３０ｃが形成されている。この貫通孔３０ａは、後述する左下の連結部材６ｃの貫通孔６２ａと左の縦枠部材４の下の捻込部（図示しない）とに対応するように形成されている。また、この貫通孔３０ｂは、後述する左下の連結部材６ｃのネジ孔６２ｂに対応するように形成されている。また、この貫通孔３０ｃは、後述する左下の連結部材６ｃのネジ孔６２ｃに対応するように形成されている。
【００１６】
また、この下の横枠部材３の長手方向の右の端部３５には、後述する３本のネジＳ１２、Ｓ１３、Ｓ１４を貫通可能な３個の貫通孔３５ａ、３５ｂ、３５ｃが形成されている。この貫通孔３５ａは、後述する右下の連結部材６ｄの貫通孔６２ａと右の縦枠部材５の下の捻込部（図示しない）とに対応するように形成されている。また、この貫通孔３５ｂは、後述する右下の連結部材６ｄのネジ孔６２ｂに対応するように形成されている。また、この貫通孔３５ｃは、後述する右下の連結部材６ｄの貫通孔６２ａに対応するように形成されている。
【００１７】
次に、左の縦枠部材４を説明していく。この左の縦枠部材４は、金属製（例えば、アルミ製）の矩形状の薄板部材から構成されている。この左の縦枠部材４は、本体部４０と、ビード部４１と、筒部４２とから構成されている。このようにビード部４１と筒部４２とを備えているため、この左の縦枠部材４に剛性を持たせることができる。
【００１８】
この本体部４０の長手方向の上の端部４０ａには、後述する３本のビスＢ１、Ｂ２、Ｂ３を貫通可能な３個の貫通孔４０ｂ、４０ｃ、４０ｄが形成されている。この貫通孔４０ｂは、後述する左上の連結部材６ａのネジ孔６１ａに対応するように形成されている。また、この貫通孔４０ｃは、後述する左上の連結部材６ａのネジ孔６１ｂに対応するように形成されている。また、この貫通孔４０ｄは、後述する左上の連結部材６ａのネジ孔６１ｃに対応するように形成されている。また、この本体部４０と筒部４２との境には、後述する第２のネジＳ２によってタッピング可能な捻込部４３が形成されている。
【００１９】
また、この本体部４０の長手方向の下の端部４０ｅには、後述する３本のビスＢ５、Ｂ６、Ｂ７を貫通可能な３個の貫通孔４０ｆ、４０ｇ、４０ｈが形成されている。この貫通孔４０ｆは、後述する下ヒンジ部材８のネジ孔８１ａに対応するように形成されている。また、この貫通孔４０ｇは、後述する下ヒンジ部材８のネジ孔８１ｂに対応するように形成されている。また、この貫通孔４０ｈは、後述する左下の連結部材６ｃのネジ孔６３ｄに対応するように形成されている。また、この本体部４０の長手方向の下の端部４０ｅには、後述する左下の連結部材６ｃの第２の取付体６３の基端部６３ｂに位置合わせ可能な切欠４０ｉが形成されている。また、このビード部４１の長手方向の下の端部４１ａには、後述する第１のネジＳ７を貫通可能な貫通孔４１ｂが形成されている。この貫通孔４１ｂは、後述する幕板９のネジ孔９０ａに対応するように形成されている。
【００２０】
次に、右の縦枠部材５を説明していく。この右の縦枠部材５は、金属製（例えば、アルミ製）の矩形状の薄板部材から構成されている。この右の縦枠部材５は、本体部５０と、ビード部５１と、筒部５２とから構成されている。このようにビード部５１と筒部５２とを備えているため、この右の縦枠部材５に剛性を持たせることができる。
【００２１】
この本体部５０の長手方向の上の端部５０ａには、後述する第４のビスＢ４を貫通可能な貫通孔５０ｂが形成されている。この貫通孔５０ｂは、後述する右上の連結部材６ｂのネジ孔６３ｄに対応するように形成されている。また、この本体部５０の長手方向の上の端部５０ａには、後述する右上の連結部材６ｂの第２の取付体６３の基端部６３ｂに位置合わせ可能な切欠５０ｃが形成されている。また、この本体部５０と筒部５２との境には、後述する第４のネジＳ４によってタッピング可能な捻込部５３が形成されている。
【００２２】
また、この本体部５０の長手方向の下の端部５０ｄには、後述する第９のビスＢ９を貫通可能な貫通孔５０ｅが形成されている。この貫通孔５０ｅは、後述する右下の連結部材６ｄのネジ孔６３ｄに対応するように形成されている。また、この本体部５０の長手方向の下の端部５０ｄには、後述する右下の連結部材６ｄの第２の取付体６３の基端部６３ｂに位置合わせ可能な切欠５０ｆが形成されている。また、このビード部５１の長手方向の下の端部５１ａには、後述する第１１のネジＳ１１を貫通可能な貫通孔５１ｂが形成されている。この貫通孔５１ｂは、後述する幕板９のネジ孔９１ａに対応するように形成されている。
【００２３】
次に、連結部材６（左上の連結部材６ａ、右上の連結部材６ｂ、左下の連結部材６ｃ、右下の連結部材６ｄ）を説明していく（図１４〜１９参照）。なお、これら左上の連結部材６ａ、右上の連結部材６ｂ、左下の連結部材６ｃ、右下の連結部材６ｄのうち、右上の連結部材６ｂ、左下の連結部材６ｃ、右下の連結部材６ｄは共通である。そのため、右上の連結部材６ｂを説明することで、残りの左下の連結部材６ｃ、右下の連結部材６ｄの説明を省略することとする。
【００２４】
左上の連結部材６ａは、金属製（例えば、鉄製）の矩形状の薄板部材である第１の取付体６０と、この第１の取付体６０の縁から略９０°折り曲げられて成る金属製（例えば、鉄製）の矩形状の薄板部材である第２の取付体６１とから構成されている。この第１の取付体６０には、後述するネジＳ１、Ｓ３を螺合可能な２個のネジ孔６０ａ、６０ｂが形成されている。また、この第２の取付体６１には、後述するビスＢ１、Ｂ３を螺合可能な２個のネジ孔６１ａ、６１ｃが形成されている。また、この第２の取付体６１には、後述するビスＢ２を螺合可能なネジ孔６１ｂが形成されている。なお、この左上の連結部材６ａは、素材（図示しない）からワークを打ち抜き、この打ち抜いたワークを折り曲げることで形成されている。
【００２５】
右上の連結部材６ｂは、金属製（例えば、鉄製）の矩形状の薄板部材である第１の取付体６２と、この第１の取付体６２の縁から略９０°折り曲げられて成る金属製（例えば、鉄製）の矩形状の薄板部材である第２の取付体６３とから構成されている。この第１の取付体６２には、後述するネジＳ４、Ｓ５、Ｓ６を螺合可能な貫通孔６２ａ、ネジ孔６２ｂ、６２ｃが形成されている。また、この第２の取付体６３は、基端部６３ｂと、この基端部６３ｂに対して段差６３ａを介した先端部６３ｃとから略クランク状に形成されている。この先端部６３ｃには、後述する第４のビスＢ４を螺合可能なネジ孔６３ｄが形成されている。なお、この第２の取付体６３の基端部６３ｂは、左の縦枠部材４の切欠４０ｉと、右の縦枠部材５の切欠５０ｃ、５０ｆに位置合わせ可能に形成されている。
【００２６】
次に、図８に戻って、上ヒンジ部材７を説明していく。上ヒンジ部材７は、金属製（例えば、鉄製）の薄板部材である第１の取付体７０と、この第１の取付体７０の縁から略９０°折り曲げられて成る金属製（例えば、鉄製）の薄板部材である第２の取付体７１とから構成されている。この第１の取付体７０には、後述するネジＳ１、Ｓ２、Ｓ３を貫通可能な３個の貫通孔７０ａ、７０ｂ、７０ｃが形成されている。また、この第１の取付体７０には、ヒンジピン７０ｄが形成されている。また、この第２の取付体７１には、後述するビスＢ１、Ｂ３を貫通可能な２個の貫通孔７１ａ、７１ｂが形成されている。なお、この上ヒンジ部材７は、素材（図示しない）からワークを打ち抜き、この打ち抜いたワークを折り曲げることで形成されている。
【００２７】
次に、下ヒンジ部材８を説明していく。下ヒンジ部材８は、金属製（例えば、鉄製）の薄板部材である第１の取付体８０と、この第１の取付体８０の縁から略９０°折り曲げられて成る金属製（例えば、鉄製）の薄板部材である第２の取付体８１とから構成されている。この第１の取付体８０には、後述する第８のビスＢ８を貫通可能な貫通孔８０ａが形成されている。また、この第１の取付体８０には、ヒンジピン８０ｂが形成されている。また、この第２の取付体８１には、後述するビスＢ５、Ｂ６を螺合可能な２個のネジ孔８１ａ、８１ｂが形成されている。なお、この下ヒンジ部材８は、素材（図示しない）からワークを打ち抜き、この打ち抜いたワークを折り曲げることで形成されている。
【００２８】
最後に、幕板９を説明していく。この幕板９は、木製の矩形状の部材から構成されている。この幕板９の前側には、幕板樹脂カバー９２が組み付けられている。この幕板９の長手方向の左の端部９０には、後述する第７のネジＳ７を螺合可能なネジ孔９０ａが形成されている。また、この幕板９の長手方向の右の端部９１には、後述する第１１のネジＳ１１を螺合可能なネジ孔９１ａが形成されている。また、この幕板樹脂カバー９２には、後述する第８のビスＢ８を螺合可能なネジ孔９２ａが形成されている。
【００２９】
続いて、上述した上下の横枠部材２、３と、左右の縦枠部材４、５と、４個の連結部材６と、上ヒンジ部材７と、下ヒンジ部材８と、幕板９とからパチンコ機用外枠１を組み立てる手順の一例を説明する。
【００３０】
まず、第１のネジＳ１を上ヒンジ部材７の貫通孔７０ａと上の横枠部材２の貫通孔２０ａとの順に挿し込み、この挿し込んだ第１のネジＳ１を左上の連結部材６ａのネジ孔６０ａに螺合させる第１の作業を行う。この螺合が、特許請求の範囲に記載の「締結」に相当する。以下、全てにおいて、適用することとする。次に、第２のネジＳ２を上ヒンジ部材７の貫通孔７０ｂと上の横枠部材２の貫通孔２０ｂとの順に挿し込み、この挿し込んだ第２のネジＳ２を左の縦枠部材４の捻込部４３に螺合させる第２の作業を行う。
【００３１】
次に、第３のネジＳ３を上ヒンジ部材７の貫通孔７０ｃと上の横枠部材２の貫通孔２０ｃとの順に挿し込み、この挿し込んだ第３のネジＳ３を左上の連結部材６ａのネジ孔６０ｂに螺合させる第３の作業を行う。次に、第１のビスＢ１を上ヒンジ部材７の貫通孔７１ａと左の縦枠部材４の貫通孔４０ｂとの順に挿し込み、この挿し込んだ第１のビスＢ１を左上の連結部材６ａのネジ孔６１ａに螺合させる第４の作業を行う。
【００３２】
次に、第３のビスＢ３を上ヒンジ部材７の貫通孔７１ｂと左の縦枠部材４の貫通孔４０ｄとの順に挿し込み、この挿し込んだ第３のビスＢ３を左上の連結部材６ａのネジ孔６１ｃに螺合させる第５の作業を行う。次に、第２のビスＢ２を左の縦枠部材４の貫通孔４０ｃに挿し込み、この挿し込んだ第２のビスＢ２を左上の連結部材６ａのネジ孔６１ｂに螺合させる第６の作業を行う。
【００３３】
次に、第４のネジＳ４を上の横枠部材２の貫通孔２５ａと右上の連結部材６ｂの貫通孔６２ａとの順に挿し込み、この挿し込んだ第４のネジＳ４を右の縦枠部材５の捻込部５３に螺合させる第７の作業を行う。次に、第５のネジＳ５を上の横枠部材２の貫通孔２５ｂに挿し込み、この挿し込んだ第５のネジＳ５を右上の連結部材６ｂのネジ孔６２ｂに螺合させる第８の作業を行う。
【００３４】
次に、第６のネジＳ６を上の横枠部材２の貫通孔２５ｃに挿し込み、この挿し込んだ第６のネジＳ６を右上の連結部材６ｂのネジ孔６２ｃに螺合させる第９の作業を行う。次に、第４のビスＢ４を右の縦枠部材５の貫通孔５０ｂに挿し込み、この挿し込んだ第４のビスＢ４を右上の連結部材６ｂのネジ孔６３ｄに螺合させる第１０の作業を行う。
【００３５】
次に、第８のネジＳ８を下の横枠部材３の貫通孔３０ａと左下の連結部材６ｃの貫通孔６２ａとの順に挿し込み、この挿し込んだ第８のネジＳ８を左の縦枠部材４の捻込部４３に螺合させる第１１の作業を行う。次に、第５のビスＢ５を左の縦枠部材４の貫通孔４０ｆに挿し込み、この挿し込んだ第５のビスＢ５を下ヒンジ部材８のネジ孔８１ａに螺合させる第１２の作業を行う。次に、第６のビスＢ６を左の縦枠部材４の貫通孔４０ｇに挿し込み、この挿し込んだ第６のビスＢ６を下ヒンジ部材８のネジ孔８１ｂに螺合させる第１３の作業を行う。
【００３６】
次に、第７のビスＢ７を左の縦枠部材４の貫通孔４０ｈに挿し込み、この挿し込んだ第７のビスＢ７を左下の連結部材６ｃのネジ孔６３ｄに螺合させる第１４の作業を行う。次に、第７のネジＳ７を左の縦枠部材４の貫通孔４１ｂに挿し込み、この挿し込んだ第７のネジＳ７を幕板９のネジ孔９０ａに螺合させる第１５の作業を行う。次に、第８のビスＢ８を下ヒンジ部材８の貫通孔８０ａに挿し込み、この挿し込んだ第８のビスＢ８を幕板樹脂カバー９２のネジ孔９２ａに螺合させる第１６の作業を行う。
【００３７】
次に、第９のビスＢ９を右の縦枠部材５の貫通孔５０ｅに挿し込み、この挿し込んだ第９のビスＢ９を右下の連結部材６ｄのネジ孔６３ｄに螺合させる第１７の作業を行う。最後に、第１１のネジＳ１１を右の縦枠部材５の貫通孔５１ｂに挿し込み、この挿し込んだ第１１のネジＳ１１を幕板樹脂カバー９２のネジ孔９１ａに螺合させる第１８の作業を行う。パチンコ機用外枠１は、このようにして組み立てられる。
【００３８】
本発明の実施形態に係るパチンコ機用外枠１は、上述したように構成されている。この構成によれば、上の横枠部材２の端部２５と右上の連結部材６ｂの第１の取付体６２とは、ネジＳ４、Ｓ５、Ｓ６による螺合によって組み付けられている。また、右の縦枠部材５の端部５０ａと右上の連結部材６ｂの第２の取付体６３とは、第４のビスＢ４による螺合によって組み付けられている。また、第２の取付体６３は、基端部６３ｂと、この基端部６３ｂに対して段差６３ａを介した先端部６３ｃとから略クランク状に形成されている。そのため、右上の連結部材６ｂの形状が簡素なものであっても、上の横枠部材２と右の縦枠部材５との連結の強度を高めることができる。このことは、パチンコ機用外枠１の右上コーナに限定されることなく、同左下コーナおよび右下コーナにおいても同様である。
【００３９】
また、この構成によれば、本体部５０の長手方向の上の端部５０ａには、右上の連結部材６ｂの第２の取付体６３の基端部６３ｂに位置合わせ可能な切欠５０ｃが形成されている。そのため、右の縦枠部材５の端部５０ａと右上の連結部材６ｂの第２の取付体６３とを組み付けるとき、この右の縦枠部材５の端部５０ａと右上の連結部材６ｂの第２の取付体６３とを位置合わせできる。したがって、この組み付け作業を簡素化できる。このことは、パチンコ機用外枠１の右上コーナに限定されることなく、同左下コーナおよび右下コーナにおいても同様である。結果として、パチンコ機用外枠１の組み立て作業を簡素化できる。
【００４０】
上述した内容は、あくまでも本発明の一実施の形態に関するものであって、本発明が上記内容に限定されることを意味するものではない。
【００４１】
実施形態では、「遊技機」が「パチンコ機」である形態を説明した。しかし、これに限定されるものでなく、「遊技機」が「スロットマシーン等」であっても構わない。
【００４２】
また、実施形態では、第１の締結部材および第２の締結部材として、各種のネジＳ１〜Ｓ１４および各種のビスＢ１〜Ｂ９を説明した。しかし、これに限定されるものでなく、第１の締結部材および第２の締結部材として、各種の打込部材であっても構わない。
【００４３】
また、実施形態では、上の横枠部材２は、木製の矩形状の部材から構成されていた。しかし、これに限定されるものでなく、上の横枠部材２は、樹脂製の矩形状の部材から構成されていても構わない。このことは、下の横枠部材３においても同様である。
【００４４】
また、図２０〜２２に示すようなパチンコ機用外枠１０１であっても構わない。すなわち、右上の連結部材６ｂには、第２の取付体６３に対して隣り合うように折曲片６３ｅが設けられていても構わない。その場合、この折曲片６３ｅは、右の縦枠部材５のビード部５１の凹み５１ｃに入り込むこととなる。そのため、上の横枠部材２と右の縦枠部材５との連結の強度をより高めることができる。このことは、パチンコ機用外枠１０１の右上コーナに限定されることなく、同左下コーナおよび右下コーナにおいても同様である。
【符号の説明】
【００４５】
１      パチンコ機用外枠（遊技機用外枠）
２      横枠部材（上）
３      横枠部材（下）
４      縦枠部材（左）
５      縦枠部材（右）
６      連結部材
２０    端部
２５    端部
３０    端部
３５    端部
４０ａ  端部
４０ｅ  端部
５０ａ  端部
５０ｄ  端部
６２    第１の取付体
６３    第２の取付体
６３ａ  段差
６３ｂ  基端部（第１の取付部）
６３ｃ  先端部（第２の取付部）
Ｓ１    第１のネジ（第１の締結部材）
Ｓ２    第２のネジ（第１の締結部材）
Ｓ３    第３のネジ（第１の締結部材）
Ｓ４    第４のネジ（第１の締結部材）
Ｓ５    第５のネジ（第１の締結部材）
Ｓ６    第６のネジ（第１の締結部材）
Ｓ７    第７のネジ（第１の締結部材）
Ｓ８    第８のネジ（第１の締結部材）
Ｓ９    第９のネジ（第１の締結部材）
Ｓ１０  第１０のネジ（第１の締結部材）
Ｓ１１  第１１のネジ（第１の締結部材）
Ｓ１２  第１２のネジ（第１の締結部材）
Ｓ１３  第１３のネジ（第１の締結部材）
Ｓ１４  第１４のネジ（第１の締結部材）
Ｂ２    第２のビス（第２の締結部材）
Ｂ４    第４のビス（第２の締結部材）
Ｂ７    第７のビス（第２の締結部材）
Ｂ９    第９のビス（第２の締結部材）
【図１】
2020043972.tif 000003
【図２】
2020043972.tif 000004
【図３】
2020043972.tif 000005
【図４】
2020043972.tif 000006
【図５】
2020043972.tif 000007
【図６】
2020043972.tif 000008
【図７】
2020043972.tif 000009
【図８】
2020043972.tif 000010
【図９】
2020043972.tif 000011
【図１０】
2020043972.tif 000012
【図１１】
2020043972.tif 000013
【図１２】
2020043972.tif 000014
【図１３】
2020043972.tif 000015
【図１４】
2020043972.tif 000016
【図１５】
2020043972.tif 000017
【図１６】
2020043972.tif 000018
【図１７】
2020043972.tif 000019
【図１８】
2020043972.tif 000020
【図１９】
2020043972.tif 000021
【図２０】
2020043972.tif 000022
【図２１】
2020043972.tif 000023
【図２２】
2020043972.tif 000024